(57)【要約】【課題】テーマパーク等に設置される撮影システムにおいて、高画質の画像を得る【解決手段】テーマパーク内の撮影システム１Ａにおいて被写体ユーザＵ０を撮影して画像データＳ１を取得する。この際、被写体ユーザＵ０の日照条件を判定し、日照条件に基づいて撮影時の撮影条件および／または画像データＳ１に画像処理を施す際の画像処理条件を決定する。そして、決定された撮影条件により被写体ユーザＵ０を撮影して画像データＳ１を得、さらに画像処理条件が決定されていれば、画像処理条件に基づいて画像データＳ１に対して画像処理を施す。【選択図】          図２
2004260305.tif 000002
【特許請求の範囲】
【請求項１】
撮影領域に存在する人物を撮影する撮影手段と、
前記撮影手段が撮影により取得した画像に対して画像処理を施す画像処理手段と、
前記撮影領域における前記人物への日照条件を判定する判定手段と、
該判定手段が判定した前記日照条件に基づいて、前記撮影手段による撮影条件および／または該撮影手段が取得した前記画像に対する画像処理条件を決定する条件決定手段とを備えたことを特徴とする撮影システム。
【請求項２】
前記判定手段は、前記撮影手段の位置、前記撮影手段の撮影方向、撮影日時、前記撮影領域周辺における構造物の高さ、および天候のうちの少なくとも１つの条件に基づいて、前記日照条件を判定することを特徴とする請求項１記載の撮影システム。
【発明の詳細な説明】
【０００１】
【発明の属する技術分野】
本発明は、テーマパーク等に設置されたカメラにより被写体である人物の画像を撮影する撮影システムに関するものである。
【０００２】
【従来の技術】
近年、テーマパーク等において、アトラクション内に定点カメラを設置して入場者を被写体として撮影を行い、撮影により得られた画像データをプリント出力して得られたプリントを入場者に渡すというプリントシステムが提案されている。このようなプリントシステムにおいては、アトラクション毎に入場者にプリントが渡されるため、入場者はプリントが出来上がるまでアトラクション毎に待つ煩わしさがある。
【０００３】
このため、入場者である人物を特定するためのＩＤ情報を記録した無線ＩＣカードのような無線タグを入場者に渡し、テーマパーク内に複数設置された定点カメラにより撮影を行う撮影システムが提案されている（特許文献１参照）。この撮影システムにおいては、撮影時にＩＤ情報を無線タグから定点カメラとともに設置された通信装置に送信し、撮影により得られた画像データとＩＤ情報とを関連付けて画像サーバに保管している。このため、入場者である人物は後日画像サーバにアクセスし、ＩＤ情報に基づいて画像データを検索することにより、テーマパーク内において得られた自身の画像をまとめて参照することができ、これにより、アトラクション毎にプリントの受け取りを待つという入場者の煩わしさを低減することができる。また、特許文献１に記載されたシステムにおいては、入場者が無線タグを操作することにより、定点カメラを操作して定点カメラの方を向いた自身の画像の撮影を行うことも可能である。
【０００４】
【特許文献１】
特開２００１−１７７５０号公報
【０００５】
【発明が解決しようとする課題】
上記撮影システムにおいては、定点カメラが撮影可能な領域（撮影領域）内に、無線タグを所持する入場者が存在する場合にその入場者の撮影が行われる。ここで、定点カメラはカメラ内の測光センサを利用して、撮影時に最適な露出条件を決定するＡＥ機能を有する。このようなＡＥ機能を用いることにより、適切な露出条件にて撮影を行うことができる。しかしながら、ＡＥ機能が適切に作動するのは順光にて撮影を行う場合のみであり、逆光となった場合にはＡＥ機能が適切に作動せず、その結果、露出が不適切な低画質の画像となってしまうという問題がある。
【０００６】
本発明は上記事情に鑑みなされたものであり、テーマパーク等に設置される撮影システムにおいて、高画質の画像を得ることを目的とする。
【０００７】
【課題を解決するための手段】
本発明による撮影システムは、撮影領域に存在する人物を撮影する撮影手段と、
前記撮影手段が撮影により取得した画像に対して画像処理を施す画像処理手段と、
前記撮影領域における前記人物への日照条件を判定する判定手段と、
該判定手段が判定した前記日照条件に基づいて、前記撮影手段による撮影条件および／または該撮影手段が取得した前記画像に対する画像処理条件を決定する条件決定手段とを備えたことを特徴とするものである。
【０００８】
なお、本発明による撮影システムにおいては、前記判定手段は、前記撮影手段の位置、前記撮影手段の撮影方向、撮影日時、前記撮影領域周辺における構造物の高さ、および天候のうちの少なくとも１つの条件に基づいて、前記日照条件を判定するものとしてもよい。
【０００９】
「日照条件」とは、撮影領域に存在する人物にどのように太陽光が照射されているかを表す条件であり、順光、逆光、日陰、朝日や夕日が照射されている、太陽光が人物の横方向から照射されている、天候が晴れ、雨、曇り、雪である等種々の条件が挙げられる。
【００１０】
「撮影条件」とは、撮影手段が撮影時に設定可能な露出に影響を与える条件であり、具体的には撮影手段が有するＡＥ機能をそのまま利用する、ストロボをオンとする等の条件を撮影条件として用いることができる。
【００１１】
「画像処理条件」は、撮影手段が取得した画像に対して、撮影時の日照条件に起因する画質の低下を防止するための条件であり、具体的にはホワイトバランスを調整する、コントラストを変更する等の条件を画像処理条件として用いることができる。
【００１２】
【発明の効果】
本発明によれば、判定手段が撮影手段の撮影領域における人物への日照条件を判定し、条件決定手段が日照条件に基づいて撮影手段の撮影条件および／または画像処理手段の画像処理条件を決定する。撮影手段は条件決定手段が決定した撮影条件により撮影を行い、画像処理手段は条件決定手段が決定した画像処理条件により画像に対して画像処理を施す。このため、適切な撮影条件により撮影領域に存在する人物の撮影を行うことができる。また、適切な画像処理条件により撮影した人物の画像に対して画像処理を施すことができる。したがって、人物への日照条件に影響されない高画質の画像を得ることができる。
【００１３】
また、撮影手段の位置、撮影手段の撮影方向、撮影日時、撮影領域周辺における構造物の高さ、および天候のうちの少なくとも１つの条件に基づくことにより、容易に日照条件を判定することができる。
【００１４】
【発明の実施の形態】
以下図面を参照して本発明の実施形態について説明する。図１は本発明の実施形態による撮影システムを備えた画像管理システムの構成を示す概略ブロック図である。図１に示すように、本実施形態による画像管理システムは、テーマパーク内に設置されるものであり、テーマパーク内に設置されてテーマパークの入場者である人物（以下被写体ユーザＵ０とする）を被写体として撮影を行って被写体の画像を表す画像データＳ１を取得する複数（ここでは３つ）の撮影システム１Ａ，１Ｂ，１Ｃと、撮影システム１Ａ，１Ｂ，１Ｃとネットワーク３を介して接続された画像保管サーバ４とを備える。なお、画像保管サーバ４は、被写体ユーザＵ０が所持するパソコン、携帯電話およびＰＤＡ等の端末装置６並びに画像データＳ１のプリント出力、アルバムの作成およびＣＤ−Ｒへの記録等を行うラボ８とネットワーク３を介して接続されている。また、画像保管サーバ４には、後述する無線タグ３０に記憶されたユーザＩＤと、ユーザの氏名、住所等のユーザ情報とが対応付けられて記憶されている。
【００１５】
被写体ユーザＵ０はデジタルカメラ１０および無線タグ３０を所持し、テーマパーク内を移動することにより、撮影システム１Ａ，１Ｂ，１Ｃにより撮影される。
【００１６】
なお、無線タグ３０はテーマパークへの入場時に被写体ユーザＵ０に渡される。
【００１７】
図２は撮影システムの構成を示す概略斜視図である。なお、撮影システム１Ａ，１Ｂ，１Ｃの構成は同一であるため、ここでは撮影システム１Ａについてのみ説明する。図２に示すように撮影システム１Ａは、テーマパーク内の撮影エリア５Ａ内に存在する被写体ユーザＵ０の撮影を行うものであり、エリア１９に入場する入場者数をカウントするためのゲート１１Ａ，１１Ｂと、ゲート１１Ａ，１１Ｂの間のエリア１９に存在する無線タグ３０を所持する被写体ユーザＵ０の数をカウントする広域センサ１２と、撮影エリア５Ａ内に存在する無線タグ３０を所持する被写体ユーザＵ０と通信を行う通信デバイス１３と、被写体ユーザＵ０の撮影を行う撮影デバイス１４と、被写体ユーザＵ０への撮影指示や撮影デバイス１４が取得した画像データＳ１の表示等を行う表示器１５と、撮影デバイス１４により被写体ユーザＵ０を捕捉するために、撮影エリア５Ａ内に存在する被写体ユーザＵ０を検出するための赤外線センサや超音波センサからなる人物センサ１６Ａ，１６Ｂとを備える。
【００１８】
ゲート１１Ａ，１１Ｂはエリア１９に入場する入場者数を無線タグ３０の所持、不所持に拘わらずカウントするためのものであり、カウント数は例えば画像保管サーバ４とともに設置された不図示のテーマパークのシステムに入力され、エリア１９に入場した入場者数の把握に用いられる。また、カウント数は入場者数を表す情報として撮影デバイス１４にも入力され、撮影動作の制御に用いられる。
【００１９】
なお、ゲート１１Ａ，１１Ｂとしては、電光管により人物の数をカウントするもの、回転可能な遮断バーを設け、遮断バーを回転させることにより人物を通過させて人物数をカウントするもの等、人物の数をカウントすることができる任意の構成を有するものを用いることができる。
【００２０】
広域センサ１２は、エリア１９内に存在する無線タグ３０を所持する被写体ユーザＵ０を検出する。図３は広域センサ１２の構成を示す概略ブロック図である。図３に示すように、広域センサ１２は、問い合わせ情報を表す問い合わせ信号を所定間隔で発信するとともに、無線タグ３０からの問い合わせ信号に対する返信信号を受信する通信部１２Ａと、返信信号を受信した旨を表す信号、返信信号により表される返信情報を撮影デバイス１４に出力する出力部１２Ｂとを備える。
【００２１】
通信デバイス１３は、撮影エリア５Ａに存在する無線タグ３０を所持する被写体ユーザＵ０と通信を行う。図４は通信デバイス１３の構成を示す概略ブロック図である。図４に示すように、通信デバイス１３は、問い合わせ情報を表す問い合わせ信号を所定間隔で発信するとともに、無線タグ３０からの問い合わせ信号に対する返信信号、さらには無線タグ３０から送信される撮影指示信号を受信する通信部１３Ａと、通信部１３Ａが受信した返信信号により表される返信情報を撮影デバイス１４に出力する出力部１３Ｂとを備える。
【００２２】
ここで、無線タグ３０が送信する返信信号により表される返信情報は、被写体ユーザＵ０を特定するユーザＩＤを含む。ユーザＩＤは被写体ユーザＵ０に固有の番号であり、予め無線タグ３０に記憶された番号をユーザＩＤとして用いてもよく、無線タグ３０を被写体ユーザＵ０に渡す際に、その被写体ユーザＵ０が所望とする番号や記号をユーザＩＤとして無線タグ３０に記憶してもよい。
【００２３】
図５は撮影デバイスの構成を示す概略ブロック図である。図５に示すように撮影デバイス１４は、デジタルカメラからなり、撮影により画像データＳ１を取得する撮影部１４Ａと、画像データＳ１を一時的に記憶する第１のメモリ１４Ｂと、ゲート１１Ａ，１１Ｂ、広域センサ１２、通信デバイス１３、表示器１５および人物センサ１６Ａ，１６Ｂと信号の送受信を行う送受信部１４Ｃと、撮影デバイス１４の駆動を制御する制御部１４Ｄと、制御プログラムや種々の情報を記憶する第２のメモリ１４Ｅと、撮影部１４Ａのパンおよびチルトを行う駆動部１４Ｆと、ネットワーク３に接続された通信部１４Ｇと、撮影部１４Ａが取得した画像データＳ１に対して画像処理を施す画像処理部１４Ｈと、撮影エリア５Ａ内における撮影対象の被写体ユーザＵ０の日照条件Ｎ１を判定する判定部１４Ｉと、判定部１４Ｉが判定した日照条件Ｎ１に基づいて、撮影部１４Ａにおける撮影条件および画像処理部１４Ｈにおける画像処理条件を決定する条件決定部１４Ｊとを備える。
【００２４】
撮影部１４Ａは、ＡＥ機構、ストロボ、ストロボのオンオフを制御するストロボ制御部を備える。
【００２５】
画像処理部１４Ｈは、画像データＳ１に対して、ホワイトバランス調整処理、階調処理、色補正処理、シャープネス処理等の画像処理を施す。
【００２６】
撮影デバイス１４においては、広域センサ１２が撮影デバイス１４に送信した、広域センサ１２が返信信号を受信した旨を表す情報に基づいて、制御部１４Ｄが撮影部１４Ａを直ちに撮影可能な待機状態に設定する。具体的には、撮影部１４Ａの電源がオフである場合や小電力化のためのスリープ状態となっている場合には電源をオンとしたり、スリープ状態を解除する。なお、既に撮影部１４Ａの電源がオンとなっている場合や既にスリープ状態が解除されている場合には、その状態を維持する。
【００２７】
また、撮影デバイス１４は、ゲート１１Ａ，１１Ｂがカウントしたエリア１９内への入場者数を表す情報に基づいてエリア１９内への入場者数を把握して撮影モードを切り替える。具体的には、制御部１４Ｄがエリア１９内への入場者数をしきい値Ｔｈ１と比較し、しきい値Ｔｈ１未満であって自動撮影に適した状態にある場合には撮影部１４Ａの撮影モードを自動撮影に切り替える。なお、入場者数がしきい値Ｔｈ１以上となって撮影のために１つの被写体ユーザＵ０を特定することが困難となった場合には、制御部１４Ｄが撮影を一時的に中止するように撮影部１４Ａの撮影モードを切り替える。
【００２８】
なお、入場者数がしきい値Ｔｈ１以上となった場合には、撮影エリア５Ａ内に無線タグ３０を所持する被写体ユーザＵ０が複数存在する可能性があり、１つの被写体ユーザＵ０を特定することが困難であるため、被写体ユーザＵ０が無線タグ３０を操作することによって撮影を行うマニュアル撮影モードに撮影モードを切り替えてもよい。この場合、撮影デバイス１４は、撮影時に被写体ユーザＵ０に撮影を行わせる指示を指示信号として表示器１５に送信する。また、無線タグ３０から送信された返信信号により表される返信情報にはユーザＩＤが含まれるため、ユーザＩＤに基づいて撮影しようとする被写体ユーザＵ０に表示器１５から呼びかけて撮影を行う撮影モード、あるいは撮影しようとする被写体ユーザＵ０以外は撮影エリア５Ａから退出する旨を通知してから撮影を行う撮影モードに切り替えてもよい。本実施形態においては、マニュアル撮影モードに切り替えるものとして説明する。なお、マニュアル撮影モード時に被写体ユーザＵ０に対して撮影を行うことを呼びかけるようにしてもよい。
【００２９】
ここで、マニュアル撮影モードおよび被写体ユーザＵ０に呼びかけて撮影を行う撮影モードにおいては、撮影される被写体ユーザＵ０に自身が撮影されることを知らせる必要がある。このため、制御部１４Ｄは画像保管サーバ４にアクセスして、返信情報に含まれるユーザＩＤに基づいて後述するユーザデータベースを参照してユーザの氏名を表す情報を取得して表示器１５に送信し、後述するように表示器１５に撮影しようとする被写体ユーザＵ０の氏名の呼びかけを行わせる。
【００３０】
また、撮影デバイス１４は、通信デバイス１３が送信した返信信号により表される返信情報および撮影により取得した画像データＳ１を通信部１４Ｇから画像保管サーバ４に送信する。なお、撮影により取得した画像データＳ１を表示器１５に送信して表示器１５に表示するようにしてもよい。
【００３１】
さらに、撮影デバイス１４は、人物センサ１６Ａ，１６Ｂから送信された信号に基づいて撮影エリア５Ａ内の被写体ユーザＵ０の位置を把握し、駆動部１４Ｆを駆動して撮影部１４Ａの画角内に被写体ユーザＵ０が入るように撮影部１４Ａのパンおよびチルトを行う。
【００３２】
ここで、撮影デバイス１４が取得した画像データＳ１は、通信デバイス１３が送信した返信信号により表される返信情報、撮影日時を表す撮影日時情報、および撮影システム１Ａの設置場所を表す設置場所情報とともに、画像保管サーバ４に送信される。なお、返信情報、撮影日時情報および設置場所情報は画像データＳ１とは別ファイルとして画像保管サーバ４に送信してもよく、画像データＳ１のタグに記述して画像データＳ１とともに画像保管サーバ４に送信してもよい。本実施形態においては、返信情報、撮影日時情報および設置場所情報は画像データＳ１のタグに記述されるものとする。
【００３３】
また、撮影デバイス１４においては、判定部１４Ｉが撮影エリア５Ａ内の被写体ユーザＵ０を撮影する際に、被写体ユーザＵ０への日照条件Ｎ１を判定する。本実施形態においては、撮影システム１Ａはテーマパーク内に設置されており、また撮影デバイス１４がパンおよびチルトされて撮影が行われる。また、撮影日および撮影時間に応じて太陽の高さが変わり、撮影デバイス１４のパンおよびチルトの向きによって被写体ユーザＵ０への太陽光の照射のされ方が変わる。
【００３４】
図６は被写体ユーザＵ０への太陽光の照射のされ方を説明するための図である。図６（ａ）に示すように、撮影デバイス１４の方を向いた被写体ユーザＵ０の略正面から太陽光が照射される場合、被写体ユーザＵ０は順光の日照条件にある。これが夕方や早朝であると、図６（ｂ）に示すように順光ではあるものの、太陽光はやや赤みを帯びているため、図６（ａ）に示す順光とは日照条件は異なる。また、夏や冬等の季節に応じて、同一時刻であっても太陽の高さが異なる。
【００３５】
また、図６（ｃ）に示すように、撮影デバイス１４の方を向いた被写体ユーザＵ０の略背後から太陽光が照射される場合、被写体ユーザＵ０は逆光の日照条件にある。また、図６（ｄ）に示すように、撮影デバイス１４の方を向いた被写体ユーザＵ０の側方から太陽光が照射される場合、被写体ユーザＵ０の顔の半分は影となる。また、図６（ｅ）に示すように、撮影デバイス１４の方を向いた被写体ユーザＵ０の略正面から太陽光が照射されるものの、構造物により太陽光が遮られる場合、被写体ユーザＵ０は日陰の日照条件にある。図６（ｆ）に示すように、天候が曇りであったり、雨や雪のように太陽が雲に隠れている場合には、被写体ユーザＵ０への日照条件は晴れの日の場合と異なる。
【００３６】
このため、判定部１４Ｉは、撮影デバイス１４の設置位置、パンおよびチルトによる撮影デバイス１４の撮影方向、撮影日時、撮影エリア５Ａ周辺の建物等の構造物の高さ、および天候のうちの少なくとも１つの条件に基づいて、被写体ユーザＵ０への日照条件Ｎ１を判定する。
【００３７】
ここで、撮影デバイス１４の設置場所、撮影日時に応じた太陽の位置、撮影エリア５Ａ周辺における構造物の高さは予め分かっているため、撮影デバイス１４の設置場所、撮影日時に応じた太陽の位置、撮影エリア５Ａ周辺における構造物の高さを撮影デバイス１４の第２のメモリ１４Ｅに記憶しておけばよい。また、撮影デバイス１４の撮影方向は駆動部１４Ｆにおける初期位置からの移動量に基づいて算出できる。また、撮影日時は撮影デバイス１４に設けられたカレンダ（不図示）により行えばよい。また、天候は通信部１４Ｇを介して外部の天候の情報を提供するウェブサイトにアクセスして、天候の情報を入手して第２のメモリ１４Ｅに記憶しておけばよい。そして、判定部１４Ｉは、撮影デバイス１４の設置場所、撮影デバイス１４の撮影方向、撮影日時に応じた太陽の位置、撮影エリア５Ａ周辺における構造物の高さおよび天候のうちの少なくとも１つの条件に基づいて、被写体ユーザＵ０への日照条件Ｎ１を判定する。
【００３８】
この日照条件Ｎ１は、上記図６（ａ）の場合は順光、図６（ｂ）の場合は夕日または朝日、図６（ｃ）の場合は逆光、図６（ｄ）の場合は側方からの照射、図６（ｅ）の場合は日陰、図６（ｆ）の場合は曇りとなる。また、時間的に夜間の場合は夜間となる。
【００３９】
条件決定部１４Ｊは、判定部１４Ｉが判定した日照条件Ｎ１に応じて撮影部１４Ａの撮影条件および／または画像処理部１４Ｈの画像処理条件を決定する。ここで、撮影条件および／または画像処理条件の決定は、条件決定部１４Ｊが記憶するテーブルを参照して行う。図７は条件決定部１４Ｊが記憶するテーブルを示す図である。
【００４０】
図７に示すテーブルを参照することにより、条件決定部１４Ｊは、日照条件Ｎ１が順光の場合には、撮影部１４ＡのＡＥ機構を利用するように撮影条件を決定する。日照条件Ｎ１が逆光の場合にはストロボをオンとするように撮影条件を決定する。日照条件Ｎ１が夕日・朝日の場合には、色温度が低いことから色温度を高くホワイトバランス調整を行うように画像処理条件を決定する。日照条件Ｎ１が側方からの照射である場合には、被写体ユーザＵ０の顔に影ができることを防止するためにストロボをオンとするように撮影条件を決定する。日照条件Ｎ１が日陰の場合には、ストロボをオンとするように撮影条件を決定するとともに、色温度が高いことから色温度を低くするホワイトバランス調整を行うように画像処理条件を決定する。日照条件Ｎ１が曇りの場合には軟調な画像となることからコントラストを高くするように画像処理条件を決定する。日照条件Ｎ１が夜間の場合にはストロボをオンとするように撮影条件を決定するとともに赤目補正を行うように画像処理条件を決定する。
【００４１】
図８は表示器の構成を示す概略ブロック図である。図８に示すように表示器１５は、撮影デバイス１４から送信される種々の指示を表す指示信号および画像データＳ１を受信する受信部１５Ａと、画像データＳ１や種々の情報を表示するモニタ１５Ｂと、指示信号に基づいて被写体ユーザＵ０に撮影の指示等を行うための音声を出力するスピーカ１５Ｃとを備える。
【００４２】
ここで、上述したように撮影デバイス１４において設定された撮影モードが、マニュアル撮影モードおよび被写体ユーザＵ０に呼びかけてから撮影を行うモードである場合のように、被写体ユーザＵ０に呼びかけを行う場合には、その旨が撮影デバイス１４から指示され、「○○くん、これから撮影するよ」、「××ちゃん、撮影ボタンを押してね」等のように、被写体ユーザＵ０を特定した音声を出力する。
【００４３】
人物センサ１６Ａ，１６Ｂは、撮影エリア５Ａ内の被写体ユーザＵ０の位置を検出し、被写体ユーザＵ０の位置を表す位置信号を、パンおよびチルトに用いるために撮影デバイス１４に送信する。なお、図２においては２つの人物センサ１６Ａ，１６Ｂを設けているが、３以上の人物センサを設けて被写体ユーザＵ０の位置の検出精度を向上させてもよい。
【００４４】
図９は画像保管サーバの構成を示す概略ブロック図である。図９に示すように画像保管サーバ４は、撮影システム１Ａ，１Ｂ，１Ｃ、被写体ユーザＵ０が所持する端末装置６およびラボ８とネットワーク３を介しての通信を行う通信部４１と、画像データＳ１、検索用のデータベースＤＢ１、画像保管サーバ４の制御プログラム、ユーザＩＤとユーザ情報とを対応付けたユーザデータベースＤＢ２等の種々の情報を記憶する大容量のメモリ４２と、メモリ４２に記憶されるデータベースＤＢ１を生成することにより、メモリ４２に記憶された画像データＳ１の管理を行う管理部４３と、画像保管サーバ４の駆動を制御する制御部４４とを備える。
【００４５】
管理部４３は、撮影システム１Ａ，１Ｂ，１Ｃが送信した画像データＳ１のタグに記述された情報（タグ情報）からデータベースＤＢ１を生成する。ここで、画像データＳ１のタグ情報には、画像データＳ１のファイル名、返信情報により表される被写体ユーザＵ０のユーザＩＤ、撮影日時情報、設置場所情報、カメラＩＤおよび撮影情報が含まれる。
【００４６】
なお、撮影情報には、撮影時におけるストロボの有無、ズーム倍率、パンおよびチルトの量が含まれる。
【００４７】
そして、管理部４３は、画像データＳ１に付与されたタグ情報に含まれる被写体ユーザＵ０のユーザＩＤに基づいて、被写体ユーザＵ０毎に画像データＳ１を分類し、さらに画像データＳ１のタグ情報に記述された撮影日時情報に基づいて、撮影日時が古い順に画像データＳ１をソートしてデータベースＤＢ１を生成する。
【００４８】
画像保管サーバ４の制御部４４は、端末装置６からアクセスがあると、被写体ユーザＵ０が端末装置６に入力したユーザＩＤに基づいてデータベースＤＢ１を検索して、そのユーザＩＤに分類された画像データＳ１の閲覧をアクセスした端末装置６に許可する。被写体ユーザＵ０は端末装置６を操作して、画像データＳ１のダウンロードや、アルバム作成の依頼、ＣＤ−Ｒ作成の依頼およびプリント注文を画像保管サーバ４に対して行う。
【００４９】
図１０は無線タグ３０の構成を示す概略ブロック図である。図１０に示すように、無線タグ３０は、無線タグ３０を所持する被写体ユーザＵ０を特定するユーザＩＤ等を記憶するメモリ３１と、問い合わせ信号の受信およびユーザＩＤを含む返信情報を表す返信信号や撮影指示信号の送信を行う通信部３２と、マニュアル撮影を行う場合に撮影指示を行う撮影ボタン３３と、無線タグ３０の駆動を制御する制御部３４とを備え、被写体ユーザＵ０が所持しやすいようにカード状に形成されてなるものである。ここで、撮影ボタン３３が押下されると、撮影指示を行うための撮影指示信号が通信部３２から通信デバイス１３に送信される。
【００５０】
なお、無線タグ３０の具体例としては電池内蔵で交信距離が数メートル以上の長距離型ＲＦＩＤタグが考えられる。また、無線タグ３０は、撮影システム１Ａ，１Ｂ，１Ｃでの撮影を望むテーマパークの入場者である被写体ユーザＵ０に配布される。この際、被写体ユーザＵ０の氏名、住所および電話番号等を画像保管サーバ４のユーザデータベースＤＢ２に登録することにより、被写体ユーザＵ０に基づいて被写体ユーザＵ０の氏名を特定することができるため、上述したように撮影時に表示器１５から被写体ユーザＵ０を特定した音声を出力することが可能となる。
【００５１】
次いで、本実施形態において行われる処理について説明する。図１１は本実施形態において行われる処理を示すフローチャートである。なお、ここでは撮影システム１Ａにおいて行われる処理について説明する。
【００５２】
撮影デバイス１４の制御部１４Ｄは、通信デバイス１３に常時問い合わせ信号を所定間隔で発信させており（ステップＳ１）、さらに通信デバイス１３が撮影エリア５Ａ内に存在する被写体ユーザＵ０の無線タグ３０から問い合わせ信号に対する返信信号を受信したか否かを監視している（ステップＳ２）。ステップＳ２が肯定されると、人物センサ１６Ａ，１６Ｂにより撮影エリア５Ａ内の被写体ユーザＵ０を検出し（ステップＳ３）、被写体ユーザＵ０を捕捉するように撮影部１４Ａのパンおよびチルトを行う（ステップＳ４）。
【００５３】
そして、制御部１４Ｄは撮影部１４Ａが被写体ユーザＵ０を捕捉したか否かを判定し（ステップＳ５）、ステップＳ５が否定されるとステップＳ３へ戻る。ステップＳ５が肯定されると、判定部１４Ｉが撮影エリア５Ａ内における撮影対象の被写体ユーザＵ０の日照条件Ｎ１を判定し（ステップＳ６）、続いて条件決定部１４Ｊが、日照条件Ｎ１に基づいて図７に示すテーブルを参照して撮影部１４Ａにおける撮影条件および／または画像処理部１４Ｈにおける画像処理条件を決定する（ステップＳ７）。
【００５４】
次いで、制御部１４Ｄが撮影モードが自動撮影かマニュアル撮影かを判定する（ステップＳ８）。なお、撮影モードは、広域センサ１２がカウントしたエリア１９内の被写体ユーザＵ０の数が所定のしきい値Ｔｈ１以上の場合にマニュアル撮影に、しきい値Ｔｈ１未満の場合に自動撮影に切り替えられる。
【００５５】
撮影モードが自動撮影の場合には、制御部１４Ｄは撮影を行う旨の指示を表示器１５に行い（ステップＳ９）、表示器１５から出力される撮影指示の音声のタイミングに合わせて撮像部１４Ａが撮影を行って画像データＳ１を取得する（ステップＳ１０）。
【００５６】
一方、撮影モードがマニュアル撮影の場合には、制御部１４Ｄは被写体ユーザＵ０に無線タグ３０の撮影ボタン３３を押下させる指示を表示器１５に行う（ステップＳ１１）。そして、制御部１４Ｄは、被写体ユーザＵ０が撮影ボタン３３を押下することにより無線タグ３０が送信した撮影指示信号を通信デバイス１３が受信したか否かの監視を開始し（ステップＳ１２）、ステップＳ１２が肯定されるとステップＳ１０に進み、撮影部１４Ａが撮影を行って画像データＳ１を取得する。
【００５７】
次いで、画像処理部１４Ｈが画像データＳ１に対して画像処理を施して処理済みの画像データＳ１を得る（ステップＳ１３）。この際、条件決定部１４Ｊが画像処理条件を決定している場合には、条件決定部１４Ｊが決定した画像処理条件により画像データＳ１に対して画像処理を施す。
【００５８】
そして制御部１４Ｄは通信部１４Ｇを介して、画像処理が施された画像データＳ１および無線タグ３０が送信した返信信号により表される返信情報を画像保管サーバ４に送信し（ステップＳ１４）、処理を終了する。
【００５９】
画像保管サーバ４においては、管理部４３が撮影システム１Ａ，１Ｂ，１Ｃから送信された画像データＳ１のタグ情報からデータベースＤＢ１を生成する。
【００６０】
そして、被写体ユーザＵ０が後日端末装置６から画像保管サーバ４にアクセスし、ユーザＩＤを画像保管サーバ４に送信すると、制御部４４がユーザＩＤをキーとしてメモリ４２に保管されたデータベースＤＢ１を検索し、そのユーザＩＤに分類された画像データＳ１を端末装置６に表示する。具体的には、例えば図１２に示すようにファイル名順にソートされた画像データＳ１のサムネイル画像の一覧を端末装置６に表示する。なお、サムネイル画像の一覧には、ファイル名、撮影日時および撮影エリア名も含まれる。
【００６１】
被写体ユーザＵ０はサムネイル画像の一覧からプリント注文やＣＤ−Ｒへの記録等の注文を行うサムネイル画像を選択し、注文の指示を画像保管サーバ４に対して行う。また、所望とする画像データＳ１をダウンロードして自身でアルバムを作成することも可能である。
【００６２】
なお、画像保管サーバ４に注文を行った場合には、画像保管サーバ４は注文のあった画像データＳ１をラボ８に送信する。ラボ８は注文に応じて画像データＳ１のプリント出力やＣＤ−Ｒへの記録を行う。
【００６３】
このように、本実施形態においては、撮影エリア５Ａ内の被写体ユーザＵ０の日照条件Ｎ１を判定し、判定した日照条件Ｎ１に基づいて撮影部１４Ａの撮影条件および／または画像処理部１４Ｈの画像処理条件を決定するようにしたため、適切な撮影条件により撮影エリア５Ａ内の被写体ユーザＵ０の撮影を行うことができる。また、適切な画像処理条件により画像データＳ１に対して画像処理を施すことができる。したがって、被写体ユーザＵ０への日照条件に影響されない高画質の画像を得ることができる。
【００６４】
また、撮影デバイスの位置、撮影方向、撮影日時、撮影エリア周辺における構造物の高さ、および天候のうちの少なくとも１つの条件に基づくことにより、容易に日照条件Ｎ１を判定することができる。
【００６５】
なお、上記実施形態においては、日照条件Ｎ１の判定、撮影条件および／または画像処理条件の決定を撮影デバイス１４において行っているが、画像保管サーバ４に、判定部１４Ｉおよび条件決定部１４Ｊを設け、画像保管サーバ４において日照条件Ｎ１の判定並びに撮影条件および／または画像処理条件の決定を行ってもよい。なお、画像データＳ１に対する画像処理を画像保管サーバ４において行ってもよい。
【００６６】
また、上記実施形態においては、撮影デバイスの位置、撮影方向、撮影日時、撮影エリア周辺における構造物の高さ、および天候のうちの少なくとも１つの条件に基づいて日照条件Ｎ１を判定しているが、これら以外の条件を勘案して日照条件Ｎ１を判定してもよい。
【００６７】
また、上記実施形態においては、テーマパークに設置された撮影システム１Ａ，１Ｂ，１Ｃに本発明を適用しているが、移動可能な撮影デバイスを用いた撮影システムにも本発明を適用できる。
【００６８】
この場合、撮影デバイス１４に自身の位置および撮影方向を表す位置情報を取得するＧＰＳ部を設け、撮影時にＧＰＳ部が取得した位置情報に基づいて日照条件Ｎ１を判定すればよい。
【図面の簡単な説明】
【図１】本発明の実施形態による撮影システムを備えた画像管理システムの構成を示す概略ブロック図
【図２】撮影システムの構成を示す概略斜視図
【図３】広域センサの構成を示す概略ブロック図
【図４】通信デバイスの構成を示す概略ブロック図
【図５】撮影デバイスの構成を示す概略ブロック図
【図６】被写体ユーザへの太陽光の照射のされ方を説明するための図
【図７】条件決定部が記憶するテーブルを示す図
【図８】表示器の構成を示す概略ブロック図
【図９】画像保管サーバの構成を示す概略ブロック図
【図１０】無線タグの構成を示す概略ブロック図
【図１１】本実施形態において撮影時に行われる処理を示すフローチャート
【図１２】サムネイル画像の一覧を示す図
【符号の説明】
１Ａ，１Ｂ，１Ｃ    撮影システム
３    ネットワーク
４    画像保管サーバ
５Ａ，５Ｂ，５Ｃ    撮影エリア
６    端末装置
８    ラボ
１１Ａ，１１Ｂ    ゲート
１２    広域センサ
１３    通信デバイス
１４    撮影デバイス
１４Ａ    撮影部
１４Ｉ    判定部
１４Ｊ    条件決定部
１４Ｈ    画像処理部
１５    表示器
１６Ａ，１６Ｂ    人物センサ
【図１】
2004260305.tif 000003
【図２】
2004260305.tif 000004
【図３】
2004260305.tif 000005
【図４】
2004260305.tif 000006
【図５】
2004260305.tif 000007
【図６】
2004260305.tif 000008
【図７】
2004260305.tif 000009
【図８】
2004260305.tif 000010
【図９】
2004260305.tif 000011
【図１０】
2004260305.tif 000012
【図１１】
2004260305.tif 000013
【図１２】
2004260305.tif 000014